(57)【要約】【課題】  ユーザが車室内に入る前に、車室内を適温にしておくための車室内温度調整システムの作動において、車両のエンジンを作動させず、かつバッテリの無駄な消費を低減する。【解決手段】  車室内温度調整システムにおいて、車両１外からの無線信号を受信する受信部３と  受信部３が所定の無線信号を受信したことに基づいて、車両のエアコン部５を作動させ、車両１の車室内温度が所定の適温になったことを検出すると、車室内温度が適温になった旨をユーザに報知するための制御としてハザードランプ８、ホーン１０を作動させる。【選択図】        図１
2005067335.tif 000002
【特許請求の範囲】
【請求項１】
車両外からの無線信号を受信する無線受信装置（３）と、
前記無線受信装置が所定の無線信号を受信したことに基づいて、前記車両の車室内空調装置を作動させる作動制御手段（２１０）と、
前記車両の車室内温度が所定の適温になったことを検出する検出手段（２２０）と、
前記検出手段の検出に基づいて、前記車室内温度が適温になった旨をユーザに報知するための制御を行う報知制御手段（２３０）と、を備えたことを特徴とする車室内温度調整システム。
【請求項２】
前記報知手段は、前記検出手段の検出に基づいて、前記車室内温度が適温になった旨を、前記車両の付近にいる前記車両のユーザに報知するための制御を行うことを特徴とする請求項１に記載の車室内温度調整システム。
【請求項３】
前記報知手段は、前記検出手段の検出に基づいて、前記車両のハザードランプを作動させることを特徴とする請求項１または２に記載の車室内温度調整システム。
【請求項４】
前記報知手段は、前記検出手段の検出に基づいて、前記車両のホーンを作動させることを特徴とする請求項１ないし３のいずれか１つに記載の車室内温度調整システム。
【請求項５】
補助電力供給源（６）を備え、
前記作動制御手段は、前記補助電力供給源によって前記車室内空調装置を作動させることを特徴とする請求項１ないし４のいずれか１つに記載の車室内温度調整システム。
【請求項６】
前記作動制御手段は、前記車室内温度制御装置を作動させてから所定の時間が経過した後に、前記車室内温度制御装置の作動を停止させることを特徴とする請求項１ないし５のいずれか１つに記載の車室内温度調整システム。  
【請求項７】
前記作動制御手段は、前記車両のエンジンを作動させずに前記前記車室内空調装置を作動させることを特徴とする請求項１ないし６のいずれか１つに記載の車室内温度調整システム。
【発明の詳細な説明】
【技術分野】
【０００１】
本発明は、車両のユーザが車室内に入る前に車室内を適温にしておくための車室内温度調整システムに関する。
【背景技術】
【０００２】
従来、車内に携帯電話が備えられ、この携帯電話に外部から電話をして信号を送信することで、この携帯電話を介して車両に備えられたエンジン及び車室内空調装置を作動させ、ユーザが車内に入るまでに、車室内を適温にしておくような車室内温度調整システムが提案されている（例えば特許文献１参照）。
【特許文献１】特開平１１−１６５５２７号公報
【発明の開示】
【発明が解決しようとする課題】
【０００３】
しかし、この様な従来の車室内温度調整システムにおいては、ユーザが車室内に入るまで、車室内が適温になっているか否かを知ることができなかった。このような場合、既に適温に達しているにも関わらず、車室内温度制御装置が作動することになる。したがって、上記特許文献１の例の様に、エンジンを作動させながら車室内温度制御装置を作動させるような場合では、無駄な排気ガスの発生、燃料の無駄な消費という問題がある。また、電力のみで車室内温度制御装置を作動させる場合には、バッテリ等の電力の無駄な消費という問題がある。
【０００４】
本発明は上記点に鑑み、車両のユーザが車室内に入る前に車室内を適温にしておくための車室内温度調整システムにおいて、車室外の当該ユーザが車室内が適温となったことの通知を受けることができるようにすることを目的とする。
【課題を解決するための手段】
【０００５】
上記目的を達成するための請求項１に記載の発明は、車両外からの無線信号を受信する無線受信装置（３）と、前記無線受信装置が所定の無線信号を受信したことに基づいて、前記車両の車室内空調装置を作動させる作動制御手段（２１０）と、前記車両の車室内温度が所定の適温になったことを検出する検出手段（２２０）と、前記検出手段の検出に基づいて、前記車室内温度が適温になった旨をユーザに報知するための制御を行う報知制御手段（２３０）と、を備えたことを特徴とする車室内温度調整システムである。
【０００６】
これによって、車両のユーザが車室内に入る前に車室内を適温にしておくための車室内温度調整システムにおいて、報知制御手段が、検出手段の検出に基づいて、車室内温度が適温になった旨をユーザに報知するための制御を行うので、車室外の当該ユーザが車室内が適温となったことの通知を受けることができる。
【０００７】
また、請求項２に記載の発明は、請求項１に記載の車室内温度調整システムにおいて、前記報知手段は、前記検出手段の検出に基づいて、前記車室内温度が適温になった旨を、前記車両の付近にいる前記車両のユーザに報知するための制御を行うことを特徴とする。
【０００８】
これによって、車両の付近で車室内が適温となったことの報知を受けたユーザは、直ちに車室内に入ることができるので、排気ガスの過剰な排出、燃料、電力等の無駄な消費がない。
【０００９】
また、請求項３に記載の発明は、請求項１または２に記載の車室内温度調整システムにおいて、前記報知手段は、前記検出手段の検出に基づいて、前記車両のハザードランプを作動させることを特徴とする。
【００１０】
また、請求項４に記載の発明は、請求項１ないし３のいずれか１つに記載の車室内温度調整システムにおいて、前記報知手段は、前記検出手段の検出に基づいて、前記車両のホーンを作動させることを特徴とする。
【００１１】
また、請求項５に記載の発明は、請求項１ないし４のいずれか１つに記載の車室内温度調整システムにおいて、補助電力供給源（６）を備え、前記作動制御手段は、前記補助電力供給源によって前記車室内空調装置を作動させることを特徴とする。
【００１２】
なお、補助電力供給源とは、車両のエンジンの始動等、車両への電力供給に主に寄与する電力源とは異なる、補助的な電力供給源をいう。
【００１３】
また、請求項６に記載の発明は、請求項１ないし５のいずれか１つに記載の車室内温度調整システムにおいて、前記作動制御手段は、前記車室内温度制御装置を作動させてから所定の時間が経過した後に、前記車室内温度制御装置の作動を停止させることを特徴とする。  
【００１４】
また、請求項７に記載の発明は、請求項１ないし６のいずれか１つに記載の車室内温度調整システムにおいて、前記作動制御手段は、前記車両のエンジンを作動させずに前記前記車室内空調装置を作動させることを特徴とする。  なお、上記各手段の括弧内の符号は、後述する実施形態に記載の具体的手段、または具体的手段として下記ＣＰＵ４１を機能させるためのソフトウェアの処理との対応関係を示すものである。
【発明を実施するための最良の形態】
【００１５】
図１に、本発明の一実施形態に係る車室内温度調整システムの構成図を示す。車室内温度調整システムは、車両１のユーザが携帯するキーレス送信器２、車両１内の受信部３、エアコン制御部４、エアコン部５、補助電源６、ハザード制御部７、ハザードランプ８、ホーン制御部９、およびホーン１０を備えている。
【００１６】
キーレス送信器２は、ボタン２１および送信部２２を備えている。送信部２２は、ユーザによって押下されることにより、それぞれ所定の信号を送信部２２に出力する複数のボタンを備えている。複数のボタンとしては、車両１のドアのロック／アンロックのためのボタン、車両１のユーザが車両１の車室内に入る前にあらかじめ車室内を適温にしておくための温度調整ボタン等がある。
【００１７】
送信部２２は、ボタン２１から入力された信号に対して所定の増幅、周波数変換、変調等の加工を施し、その結果の信号を、図示しないアンテナに出力することで、キーレス送信器２の周囲に無線電波を送出する。
【００１８】
受信部３は、車両１のドア付近等、キーレス送信器２からの電波を受けやすい場所に設けられている。この受信部３は、キーレス送信器２の送信部２２からの無線電波を図示しないアンテナを介して受信し、受信した無線信号に対して所定の増幅、周波数変換、復調等の加工を施し、その結果の信号を、信号線を介してエアコン制御部４のＣＰＵ４１に出力する。
【００１９】
ハザード制御部７は、エアコン制御部４からの信号線を介した制御信号等に基づいて、ハザードランプ８への電力供給を制御することで、ハザードランプ８の点灯、消灯等の作動を制御する。
【００２０】
補助電源６は車両のエンジン等の始動を行うための車両１のメインバッテリ（図示せず）とは異なる電力供給源であり、燃料電池、電解液によるバッテリ等を用いる。
【００２１】
ホーン制御部９は、エアコン制御部４からの信号線を介した制御信号等に基づいて、ホーン１０への電力供給を制御することで、ホーン１０の鳴動を制御する。
【００２２】
温度センサ１１は、車両１の車室内に設置され、車室内の気温を検出し、その気温に基づいた信号をエアコン制御部４のＣＰＵ４１に信号線を介して出力する。
【００２３】
エアコン部５は、図示しないブロア、クーラ、ヒータ、コンプレッサ、コンデンサ等を備え、車両１外の空気または車両１の車室内の空気を吸入して加熱または冷却し、その加熱または冷却された空気を車室内に吹き出す車室内空調装置である。
【００２４】
ブロアは、ファン等の送風動力源を作動させることによって、車両１外の空気または車両１の車室内の空気を吸入し、この空気をクーラに送る送風装置である。
【００２５】
クーラは、エバポレータを備え、エバポレータ内部の冷媒液の蒸発によって、ブロアから送られた空気から気化熱を奪うことで当該空気を冷却し、当該冷却された空気をヒータに送るように構成された装置である。
【００２６】
ヒータは、クーラから送られてきた空気を熱し、その結果の空気をエアダクト等を通じて車室内に送るように構成された装置である。なお、本実施形態においては、このヒータは電力を供給されることによって周囲の空気を加熱する電気ヒータである。
【００２７】
コンプレッサは、エバポレータで車室内の熱を奪って気化した冷媒ガスを吸入、圧縮して、その結果高温、高圧になった冷媒ガスをコンデンサに送り出す装置である。
【００２８】
コンデンサは、コンプレッサから送り込まれてきた高温、高圧の冷媒ガスを外気等によって冷却し、この冷媒ガスを凝縮液化し、この凝縮された冷媒液をエバポレータに送るための熱交換器である。
【００２９】
このようなエアコン部５の、ブロアの送風動力源、コンプレッサ、ヒータ、その他各種モータ等の動力部は、エアコン制御部４からの信号線を介した制御信号に基づいて作動するようになっている。なお、これら動力部の動力源は、図示しない車両１のメインバッテリ、あるいは補助電源６である。また、コンプレッサは、エンジンのシリンダのピストン運動を動力源とすることもできる。
【００３０】
エアコン制御部４は、ＣＰＵ４１、ＲＡＭ４２、フラッシュメモリ４３、入力部４４を備えている。
【００３１】
入力部４４は、車両１のインストゥルメントパネルの前面に設けられた複数のメカニカルスイッチ等の入力装置から成り、ユーザによるメカニカルスイッチの押下（例えば押しボタンの押下）に基づいた信号をＣＰＵ４１に出力する。
【００３２】
ＣＰＵ４１は、書き換え可能な不揮発性メモリであるフラッシュメモリ４３に保存されているプログラムを読み出して実行し、その実行するプログラム、受信部３からの信号、温度センサ１１からの信号、および入力部４４からの信号に基づいた動作をする、そしてＣＰＵ４１は、その動作において、必要に応じてフラッシュメモリ４３および書き換え可能な揮発性メモリであるＲＡＭ４２からデータを読み出し、ＲＡＭ４２にデータを記録し、ハザード制御部７、ホーン制御部９、およびエアコン部５の各動力部に制御信号を出力する。
【００３３】
ＣＰＵ４１の処理の具体例としては、ユーザが車両１に乗車し、キースイッチをオンにしてエンジンを作動させている場合に、ユーザが車室内の目標温度を設定するための入力部４４の所定の操作を検出すると、その入力に応じた目標温度に車室内温度を調節するための信号をエアコン部５に出力する。
【００３４】
また、ＣＰＵ４１は、車両１のキースイッチがオフとなっている場合にも電力が供給されるようになっており、車両１のキースイッチがオフの場合は、ＣＰＵ４１は通常スリープモードと呼ばれる低電力消費モードに入っている。このスリープモードにおいて、キーレス送信器２で車両１の車室内に入る前にあらかじめ車室内を適温にしておくための温度調整ボタンが押された旨の信号の入力が、受信部３からあると、ＣＰＵ４１はスリープモードから通常動作のモードに復帰し、図２に示すプログラムを実行するようになっている。以下、このプログラムについて説明する。
【００３５】
まず、起動後のステップ２１０では、エアコン制御を開始する。具体的には、フラッシュメモリ４３から、あらかじめ設定された適温とする温度の指定を読み出し、この温度になるよう、エアコン部５の各動力部を制御する。例えば、夏においては、高温となっている車室内の温度を所定の適温まで下げるため、コンプレッサ、ブロア等を作動させる。また、冬あるいは寒冷地において、低温となっている車室内の温度を所定の温度に上げるため、ブロア、ヒータを作動させる。なおこの際、本実施形態においては、エンジンを起動させないようになっており、また、エアコン部５への電力供給は、メインバッテリ或いは補助電源６のみによって行うようになっている。補助電源６を使用する場合は、メインバッテリの消費が抑えられる。
【００３６】
次にステップ２２０では、適温になったか否かを判定する。具体的には、温度センサ１１からの信号に基づいて車室内の温度を特定し、この特定した温度が所定の適温か否かを判定する。すなわち、この特定した温度が所定の適温から所定の範囲内（例えば±１℃）であるか否かを判定する。適温になったと判定すると、処理はステップ２３０に進み、適温になっていないと判定すると、処理はステップ２１０に戻る。
【００３７】
ステップ２３０では、車室内温度が適温になった旨をユーザに報知するための制御を行う。具体的には、ハザード制御部７にハザードランプ８を点滅させるよう、ハザード制御部７に制御信号を出力し、また、ホーン制御部９にホーン１０を鳴動させるよう、ホーン制御部９に制御信号を出力する。
【００３８】
その後は、ユーザが車室内に入って入力部４４を操作するまで、車室内を所定の適温にするためのエアコン部５の制御を続ける。
【００３９】
このような車室内温度調整システムの作動によって、ユーザが車両１の付近、例えば（車両から１０ｍ以内）でキーレス送信器２の温度調整ボタンを押下することで、図２のプログラムが起動し、エアコン部５が電力によって作動し、また車両１の車室内が適温になった場合に、ハザードランプ８の点滅、ホーン１０の鳴動によって、当該車両１の付近にいるユーザが、適温になった旨の通知を受けることができる。
【００４０】
そして車両１の付近にいるユーザは、この報知を受けて直ちに車両１に乗り込むことができるので、電力等の無駄な消費がない。
【００４１】
また、エアコン部５の作動のためにエンジンを作動させないので、車内が無人の状態でエンジンを起動させることがなく、エンジンを作動させる場合に比べて安全である。また、エンジンの始動によって周囲の無関係な人を驚かせてしまうという問題がない。また、何らかの原因でユーザが長時間車に戻れない場合においても、エンジンの長時間作動による排気ガスの大量生成の問題がない。また、エンジン制御のために、車室内温度調整システムの構成が大掛かりなものとなることがない。
【００４２】
なお、上記した実施形態においては、図２のプログラムはユーザが車室内に入って入力部４４を操作するまで、車室内を所定の適温にするためのエアコン部５の制御が続けるようになっているが、バッテリ上がりの防止のため、このプログラムの開始から所定の時間が経過すると、エアコン部５の作動を停止し、このプログラムを終了し、更にＣＰＵ４１がスリープモードに入る様になっていてもよい。また、エアコン部５の作動を停止するときに、ハザード制御部７にハザードランプ８を点滅させるよう、ハザード制御部７に制御信号を出力し、また、ホーン制御部９にホーン１０を鳴動させるよう、ホーン制御部９に制御信号を出力するようになっていてもよい。
【００４３】
この際、報知の方法を適温になった場合の報知と異なるようにしてもよい。例えば、ハザード制御部７の点滅のタイミング、ハザードランプ８のホーンの音を、車室内が適温となったときの報知の場合（すなわち図２にステップ２３０の場合）と異なるようにしてもよい。これによって、ユーザが適温になった場合の報知と、エアコン部５の作動を停止した場合の報知とを区別することができる。
【００４４】
また、適温になった旨の報知の際、およびエアコン部５の作動を停止した旨の報知の際の、ハザードランプ８、ホーン１０の作動・非作動は、ユーザの設定によってあらかじめ設定できるようになっていてもよい。
【図面の簡単な説明】
【００４５】
【図１】本発明の実施形態に係る車室内温度調整システムの構成図である。
【図２】エアコン制御部４の作動の、本発明に該当する部分のフローチャートである。
【符号の説明】
【００４６】
１…車両、２…キーレス送信器、３…受信部、４…エアコン制御部、５…エアコン部、
６…補助電源、７…ハザード制御部、８…ハザードランプ、９…ホーン制御部、
１０…ホーン、１１…温度センサ、２１…ボタン、２２…送信部、４１…ＣＰＵ、
４２…ＲＡＭ、４３…フラッシュメモリ、４４…入力部。
【図１】
2005067335.tif 000003
【図２】
2005067335.tif 000004